(57)【要約】      （修正有）【課題】操作しにくい従来の問題を解決する、アイスバケツ及びバケツ用蓋を提供する。【解決手段】バケツ用蓋は上下が開口し且つ貫通する下蓋２０であって、取り外し可能に本体１０の上端に固定され、下蓋の外側壁にはペアの下接続部３０が形成される下蓋と、底部が開口する上蓋４０であって、対向する両側には横方向に突き出るようにペアの上接続部５０が形成され、上蓋が下蓋に覆設されている場合に、上接続部が対応する下接続部に受け止められる上蓋と、対応する下接続部の端部にヒンジ接続されたブロック状ストッパー６２であって、対応する上接続部に受け止められて上接続部を制限することにより、下蓋からの上蓋の離脱が避けられ、ブロック状ストッパーを回転させて上接続部への制限を解除することにより、上蓋を下蓋から離脱できるブロック状ストッパーとを含む。ブロック状ストッパーを回転させて上接続部への制限を解除して、上蓋を取り出すことができる。【選択図】図１
0003234929.tif 000002
【実用新案登録請求の範囲】
【請求項１】
上下が開口し且つ貫通する下蓋であって、取り外し可能に本体の上端に固定され、前記下蓋の外側壁には突き出て且つ横方向に対向するようにペアの下接続部が形成される下蓋と、
底部が開口する上蓋であって、対向する両側には横方向に突き出るようにペアの上接続部が形成され、前記上蓋が前記下蓋に覆設されている場合に、前記上接続部が対応する下接続部に受け止められる上蓋と、
対応する前記下接続部の端部にヒンジ接続されたブロック状ストッパーであって、対応する前記上接続部に受け止められて前記上接続部を制限することにより、前記下蓋からの前記上蓋の離脱が避けられ、前記ブロック状ストッパーを回転させて前記上接続部への制限を解除することにより、前記上蓋を前記下蓋から離脱できるブロック状ストッパーとを含むことを特徴とするバケツ用蓋。
【請求項２】
ハンドルをさらに含み、前記ハンドルの対向する両端は前記本体の対向する両側に位置し、且つ前記ハンドルの端部は対応する前記下接続部の端部にヒンジ接続され、前記ハンドルの前記本体を向く側面には前記ハンドルの端部の近くにブロック状ストッパーが突き出て形成され、前記ブロック状ストッパーと前記ハンドルの端部との間には前記上接続部及び前記下接続部を受け入れるノッチが形成され、前記ハンドルが立っている場合には、前記ブロック状ストッパーが対応する前記上接続部に受け止められて前記上接続部を制限し、前記ハンドルが下がって前記本体に受け止められている場合には、前記ブロック状ストッパーを連れて回転させて前記上接続部への制限を解除することを特徴とする請求項１に記載のバケツ用蓋。
【請求項３】
前記ブロック状ストッパーは垂直に接続された第１制限面及び第２制限面を含み、前記上蓋が前記下蓋に覆設され且つ前記ハンドルが立っている場合には、前記第１制限面は前記上接続部の上面に受け止められ、前記第２制限面は前記上接続部及び前記下接続部の側面に受け止められることを特徴とする請求項２に記載のバケツ用蓋。
【請求項４】
前記上蓋が前記下蓋に覆設されている場合に、前記上接続部と前記下接続部とが密着して横方向に円筒構造が形成され、
前記ハンドルの対向する両端には前記円筒構造に適合する貫通穴が開設され、前記ハンドルは前記貫通穴を介して対応する下接続部に嵌設され、リベットによって前記下接続部に挿設されて固定され、且つ前記リベットの縁部が前記ハンドルに止められることにより前記ハンドルと前記下蓋とのヒンジ接続を実現することを特徴とする請求項２に記載のバケツ用蓋。
【請求項５】
前記下蓋の上部には前記上蓋の側壁に適合する縦溝が形成され、前記上蓋が前記下蓋に覆設されている場合に、前記上蓋の側壁が前記縦溝内に挿設されることにより接続を実現することを特徴とする請求項１に記載のバケツ用蓋。
【請求項６】
前記下接続部の上部には前記上接続部に適合する横溝が形成され、前記横溝は前記縦溝に連通し、前記上蓋が前記下蓋に覆設されている場合に、前記上接続部は前記横溝内に設けられることを特徴とする請求項５に記載のバケツ用蓋。
【請求項７】
前記下蓋の上端と前記上蓋の内壁面との間には第１シリコーンリングが挟まれて固定されることを特徴とする請求項１に記載のバケツ用蓋。
【請求項８】
前記本体の上端には縦に突き出るように挿着リングが形成され、前記挿着リングの外壁が突き出て横方向の支持面が形成され、
前記下蓋は前記本体の挿着リングに嵌設され且つ前記支持面に受け止められ、前記下蓋の外壁及び前記本体の対応する外壁は同じ鉛直面に位置することを特徴とする請求項１に記載のバケツ用蓋。
【請求項９】
前記下蓋の上部は前記挿着リングの上部より高く、
前記下蓋の内壁には下向きに開口する凹溝が形成され、前記凹溝内には第２シリコーンリングが固定され、前記挿着リングの上端は前記凹溝内に挿設され且つ前記第２シリコーンリングを押し付けて防漏接続を実現することを特徴とする請求項８に記載のバケツ用蓋。
【請求項１０】
上部が開口し且つ内部に収容空間が形成された本体と、上下が開口し且つ貫通する下蓋であって、取り外し可能に本体の上端に固定され、前記下蓋の外側壁には突き出て且つ横方向に対向するようにペアの下接続部が形成される下蓋と、底部が開口する上蓋であって、対向する両側には横方向に突き出るようにペアの上接続部が形成され、前記上蓋が前記下蓋に覆設されている場合に、前記上接続部が対応する下接続部に受け止められる上蓋と、対応する前記下接続部の端部にヒンジ接続されたブロック状ストッパーであって、対応する前記上接続部に受け止められて前記上接続部を制限することにより、前記下蓋からの前記上蓋の離脱が避けられ、前記ブロック状ストッパーを回転させて前記上接続部への制限を解除することにより、前記上蓋を前記下蓋から離脱できるブロック状ストッパーとを含むことを特徴とするアイスバケツ。
【考案の詳細な説明】
【技術分野】
【０００１】
本考案は、容器分野に関し、特に、アイスバケツ及びバケツ用蓋である。
【背景技術】
【０００２】
従来のアイスバケツは、蓋と本体がねじによって接続されたものが多く、回転させて蓋を開け閉めする操作は手間がかかっていた。
【考案の概要】
【考案が解決しようとする課題】
【０００３】
本考案の目的は、従来の技術における欠点を解消すべく、アイスバケツ及びバケツ用蓋を提供し、蓋と本体はねじによって回転可能に接続され、操作しにくいという従来の技術における問題を解決することである。
【課題を解決するための手段】
【０００４】
上記の目的を達成するための技術的解決手段は以下のとおりである。
【０００５】
本考案は、
上下が開口し且つ貫通する下蓋であって、取り外し可能に本体の上端に固定され、前記下蓋の外側壁には突き出て且つ横方向に対向するようにペアの下接続部が形成される下蓋と、
底部が開口する上蓋であって、対向する両側には横方向に突き出るようにペアの上接続部が形成され、前記上蓋が前記下蓋に覆設されている場合に、前記上接続部が対応する下接続部に受け止められる上蓋と、
対応する前記下接続部の端部にヒンジ接続されたブロック状ストッパーであって、対応する前記上接続部に受け止められて前記上接続部を制限することにより、前記下蓋からの前記上蓋の離脱が避けられ、前記ブロック状ストッパーを回転させて前記上接続部への制限を解除することにより、前記上蓋を前記下蓋から離脱できるブロック状ストッパーとを含むバケツ用蓋を提供する。
【０００６】
本考案のバケツ用蓋の更なる改良として、ハンドルをさらに含み、前記ハンドルの対向する両端は前記本体の対向する両側に位置し、且つ前記ハンドルの端部は対応する前記下接続部の端部にヒンジ接続され、前記ハンドルの前記本体を向く側面には前記ハンドルの端部の近くにブロック状ストッパーが突き出て形成され、前記ブロック状ストッパーと前記ハンドルの端部との間には前記上接続部及び前記下接続部を受け入れるノッチが形成され、前記ハンドルが立っている場合には、前記ブロック状ストッパーが対応する前記上接続部に受け止められて前記上接続部を制限し、前記ハンドルが下がって前記本体に受け止められている場合には、前記ブロック状ストッパーを連れて回転させて前記上接続部への制限を解除する。
【０００７】
本考案のバケツ用蓋の更なる改良として、
前記ブロック状ストッパーは垂直に接続された第１制限面及び第２制限面を含み、前記上蓋が前記下蓋に覆設され且つ前記ハンドルが立っている場合には、前記第１制限面は前記上接続部の上面に受け止められ、前記第２制限面は前記上接続部及び前記下接続部の側面に受け止められる。
【０００８】
本考案のバケツ用蓋の更なる改良として、
前記上蓋が前記下蓋に覆設されている場合に、前記上接続部と前記下接続部とが密着して横方向に円筒構造が形成され、
前記ハンドルの対向する両端には前記円筒構造に適合する貫通穴が開設され、前記ハンドルは前記貫通穴を介して対応する下接続部に嵌設され、リベットによって前記下接続部に挿設されて固定され、且つ前記リベットの縁部が前記ハンドルに止められることにより前記ハンドルと前記下蓋とのヒンジ接続を実現する。
【０００９】
本考案のバケツ用蓋の更なる改良として、
前記下蓋の上部には前記上蓋の側壁に適合する縦溝が形成され、前記上蓋が前記下蓋に覆設されている場合に、前記上蓋の側壁が前記縦溝内に挿設されることにより接続を実現する。
【００１０】
本考案のバケツ用蓋の更なる改良として、
前記下接続部の上部には前記上接続部に適合する横溝が形成され、前記横溝は前記縦溝に連通し、前記上蓋が前記下蓋に覆設されている場合に、前記上接続部は前記横溝内に設けられる。
【００１１】
本考案のバケツ用蓋の更なる改良として、
前記下蓋の上端と前記上蓋の内壁面との間には第１シリコーンリングが挟まれて固定される。
【００１２】
本考案のバケツ用蓋の更なる改良として、
前記本体の上端には縦に突き出るように挿着リングが形成され、前記挿着リングの外壁が突き出て横方向の支持面が形成され、
前記下蓋は前記本体の挿着リングに嵌設され且つ前記支持面に受け止められ、前記下蓋の外壁及び前記本体の対応する外壁は同じ鉛直面に位置する。
【００１３】
本考案のバケツ用蓋の更なる改良として、
前記下蓋の上部は前記挿着リングの上部より高く、
前記下蓋の内壁には下向きに開口する凹溝が形成され、前記凹溝内には第２シリコーンリングが固定され、前記挿着リングの上端は前記凹溝内に挿設され且つ前記第２シリコーンリングを押し付けて防漏接続を実現する。
【００１４】
本考案は、
上部が開口し且つ内部に収容空間が形成された本体と、
上下が開口し且つ貫通する下蓋であって、取り外し可能に本体の上端に固定され、前記下蓋の外側壁には突き出て且つ横方向に対向するようにペアの下接続部が形成される下蓋と、
底部が開口する上蓋であって、対向する両側には横方向に突き出るようにペアの上接続部が形成され、前記上蓋が前記下蓋に覆設されている場合に、前記上接続部が対応する下接続部に受け止められる上蓋と、
対応する前記下接続部の端部にヒンジ接続されたブロック状ストッパーであって、対応する前記上接続部に受け止められて前記上接続部を制限することにより、前記下蓋からの前記上蓋の離脱が避けられ、前記ブロック状ストッパーを回転させて前記上接続部への制限を解除することにより、前記上蓋を前記下蓋から離脱できるブロック状ストッパーとを含むアイスバケツをさらに提供する。
【考案の効果】
【００１５】
本考案のアイスバケツ及びバケツ用蓋の有益な効果は以下のとおりである。
本考案では下蓋と本体の上端とが適合して接続され、上蓋が下蓋に覆設され、且つ上蓋のペアの上接続部と下蓋のペアの下接続部とが上下に適合して密着して、本体を覆う。ブロック状ストッパーと下蓋の下接続部とがヒンジ接続されることにより、ブロック状ストッパーの回転を実現する。ブロック状ストッパーが上接続部に受け止められることにより、上蓋の移動が規制され、下蓋からの上蓋の離脱が避けられる。ブロック状ストッパーを回転させて上接続部から離脱させることにより、上接続部への制限が解除され、上接続部が上向きに移動できるため、上蓋を上向きに移動させて取り出すことができる。これにより、蓋と本体はねじによって回転可能に接続され、操作しにくいという従来の技術における問題を解決する。
【図面の簡単な説明】
【００１６】
【図１】図１は本考案に係るバケツの分解模式図である。
【図２】図２は本考案に係るバケツの蓋のロック状態の図である。
【図３】図３は本考案に係るバケツの蓋のロック解除状態の図である。
【図４】図４は図２の正面断面図である。
【図５】図５は図２の側面断面図である。
【図６】図６は図３の正面断面図である。
【図７】図７は図３の側面断面図である。
【図８】図８は図２の正面図である。
【図９】図９は図２の背面図である。
【図１０】図１０は図３の正面図である。
【図１１】図１１は図３の背面図である。
【考案を実施するための形態】
【００１７】
次に、図面と実施例を結び付けて本考案の更なる説明を行う。
【００１８】
図１は本考案に係るバケツの分解模式図である。図２は本考案に係るバケツの蓋のロック状態の図である。図３は本考案に係るバケツの蓋のロック解除状態の図である。図４は図２の正面断面図、図５は図２の側面断面図である。図６は図３の正面断面図、図７は図３の側面断面図である。図１から図７に示すように、本考案に係るバケツ用蓋は、
上下が開口し且つ貫通する下蓋２０であって、取り外し可能に本体１０の上端に固定され、下蓋２０の外側壁には突き出て且つ横方向に対向するようにペアの下接続部３０が形成される下蓋２０と、
底部が開口する上蓋４０であって、対向する両側には横方向に突き出るようにペアの上接続部５０が形成され、上蓋４０が下蓋２０に覆設されている場合に、上接続部５０が対応する下接続部３０に受け止められる上蓋４０と、
対応する下接続部３０の端部にヒンジ接続されたブロック状ストッパー６２であって、対応する上接続部５０に受け止められて上接続部５０を制限することにより、下蓋２０からの上蓋４０の離脱が避けられ、ブロック状ストッパー６２を回転させて上接続部５０への制限を解除することにより、上蓋４０を下蓋２０から離脱できるブロック状ストッパー６２とを含む。
【００１９】
本考案に係るバケツ用蓋の好ましい実施形態として、ハンドル６０をさらに含み、ハンドル６０の対向する両端は本体１０の対向する両側に位置し、且つハンドル６０の端部は対応する下接続部３０の端部にヒンジ接続され、ハンドル６０の本体１０を向く側面にはハンドルの端部６１の近くにブロック状ストッパー６２が突き出て形成され、ブロック状ストッパー６２とハンドルの端部６１との間には上接続部５０及び下接続部３０を受け入れるノッチが形成される。ハンドル６０が立っている場合には、ブロック状ストッパー６２が対応する上接続部５０に受け止められて上接続部５０を制限することにより、下蓋２０からの上蓋４０の離脱が避けられる。ハンドル６０が下がって本体１０に受け止められている場合には、ブロック状ストッパー６２を連れて回転させて上接続部５０への制限を解除することにより、上蓋４０を下蓋２０から離脱できる。
【００２０】
本考案では下蓋と本体の上端とが適合して接続され、上蓋が下蓋に覆設され、且つ上蓋のペアの上接続部と下蓋のペアの下接続部とが上下に適合して密着して、本体を覆う。
【００２１】
ハンドルと下蓋の下接続部とがヒンジ接続されることにより、ハンドルの回転を実現する。ハンドルの内側のブロック状ストッパーとハンドルの端部とによってノッチが形成され、ハンドルが縦設されている場合には、ハンドルのブロック状ストッパーが上接続部に受け止められることにより、上蓋の移動が規制され、下蓋からの上蓋の離脱が避けられる。ハンドルを回転させてブロック状ストッパーを連れて上接続部から離脱させることにより、上接続部への制限が解除され、ノッチが上接続部に対応し、上接続部がノッチを通して上向きに移動できるため、上蓋を上向きに移動させて取り出すことができる。操作しやすく、蓋と本体はねじによって回転可能に接続され、操作しにくいという従来の技術における問題を解決できる。
【００２２】
本考案に係るバケツ用蓋の好ましい実施形態として、図８は図２の正面図、図９は図２の背面図である。図１０は図３の正面図、図１１は図３の背面図である。図１から図１１に示すように、ブロック状ストッパー６２は垂直に接続された第１制限面及び第２制限面を含み、上蓋４０が下蓋２０に覆設され且つハンドル６０が立っている場合には、第１制限面は上接続部５０の上面に受け止められ、第２制限面は上接続部５０及び下接続部３０の側面に受け止められる。
【００２３】
具体的には、ハンドル６０の端部の内側から一部を切り取ってノッチが形成され、ハンドルの本体においてノッチに対応してハンドルの延伸方向に垂直の第１制限面及びハンドルの延伸方向に沿う第２制限面が形成される。ハンドル６０の第１制限面以上の部分はブロック状ストッパー６２とされ、ブロック状ストッパー６２は第１制限面によって上接続部５０の上面に受け止められて、上接続部５０を制限する。ハンドル６０を回転させてブロック状ストッパー６２を連れて上接続部５０から離脱させることにより、上接続部５０への制限が解除され、上接続部がノッチを通して上向きに移動できるため、上蓋４０を上向きに移動させて取り出すことができる。
【００２４】
本考案に係るバケツ用蓋の好ましい実施形態として、下蓋２０の上部には上蓋４０の側壁に適合する縦溝が形成され、上蓋４０が下蓋２０に覆設されている場合に、上蓋４０の側壁が縦溝内に挿設されることにより接続を実現する。上蓋４０の側壁は縦溝の側壁によって挟まれることで制限されてもよい。挿設して接続させるのは、取り付けにも取り外しにも役立つ。
【００２５】
本考案に係るバケツ用蓋の好ましい実施形態として、下接続部３０の上部には上接続部５０に適合する横溝が形成され、横溝は縦溝に連通し、上蓋４０が下蓋２０に覆設されている場合に、上蓋４０の側壁が縦溝内に挿設され、上接続部５０が横溝内に設けられて、上蓋４０と下蓋２０とが密着して接続される。
【００２６】
本考案に係るバケツ用蓋の好ましい実施形態として、上蓋４０が下蓋２０に覆設されている場合に、上接続部５０が横溝内に設けられ、上接続部５０と下接続部３０とが密着して横方向に円筒構造が形成される。
【００２７】
具体的には、下接続部３０は下蓋の側部に突き出て一体的に形成された円筒体であり、円筒体の上部から一部が切り取られて、円弧を備える板状の横溝が形成され、上接続部５０の形状は切り取った部分に合わせて、円弧を備える板状である。下接続部３０と上接続部５０とが密着している場合に、横溝の内壁によって下接続部３０の水平方向の移動が規制されることにより、上接続部５０は上向きに移動させて取り出すように規制されている。
【００２８】
本考案に係るバケツ用蓋の好ましい実施形態として、ハンドル６０の対向する両端には円筒構造に適合する貫通穴が開設され、ハンドル６０は貫通穴を介して対応する下接続部３０に嵌設され、リベット８０によって下接続部３０に挿設されて固定され、且つリベット８０の縁部がハンドル６０に止められることによりハンドル６０と下蓋２０とのヒンジ接続を実現する。円筒構造とすることによってハンドルの端部とヒンジ接続しやすくなる。
【００２９】
具体的には、下接続部３０の端部内にはリベット８０を挿設するためのヒンジ接続溝が形成され、ヒンジ接続溝内にはリベットの中心に挿設する凸ロッドが形成され、制限とヒンジ接続が強化される。
【００３０】
本考案に係るバケツ用蓋の好ましい実施形態として、下蓋２０の上端と上蓋４０の内壁面との間には第１シリコーンリング７０が挟まれて固定される。具体的には、上蓋４０の内壁面における下蓋２０の上端に対応する箇所には第１シリコーンリング７０が固定される。第１シリコーンリング７０によって漏れを防止する。
【００３１】
本考案に係るバケツ用蓋の好ましい実施形態として、本体１０の上端には挿着リング１１が縦に突き出て形成され、挿着リング１１の外壁が突き出て横方向の支持面が形成される。下蓋２０は本体１０の挿着リング１１に嵌設され且つ支持面に受け止められ、下蓋２０の外壁及び本体１０の対応する外壁は同じ鉛直面に位置し、整然としており、接続しやすい。
【００３２】
本考案に係るバケツ用蓋の好ましい実施形態として、下蓋２０と挿着リング１１は突起と係止溝による係止で固定される。
【００３３】
具体的には、挿着リング１１の表面に突起が形成され、下蓋２０には適合する係止溝が形成され、突起と係止溝による係止で下蓋２０と挿着リング１１が固定される。
【００３４】
本考案に係るバケツ用蓋の好ましい実施形態として、下蓋２０の上部は挿着リング１１の上部より高い。下蓋２０の内壁には下向きに開口する凹溝が形成され、凹溝内には第２シリコーンリング９０が固定され、挿着リング１１の上端は凹溝内に挿設され且つ第２シリコーンリング９０を押し付けて防漏接続を実現する。
【００３５】
具体的には、挿着リング１１の内壁と下蓋２０の上部の内壁は同じ鉛直面に位置する。下蓋２０の底部の内壁は挿着リング１１の外壁に密着する。上蓋の内壁には下蓋に挿設する台状突起が形成される。
【００３６】
本考案は、
上部が開口し且つ内部に収容空間が形成された本体１０と、
上下が開口し且つ貫通する下蓋２０であって、取り外し可能に本体１０の上端に固定され、下蓋２０の外側壁には突き出て且つ横方向に対向するようにペアの下接続部３０が形成される下蓋２０と、
底部が開口する上蓋４０であって、対向する両側には横方向に突き出るようにペアの上接続部５０が形成され、上蓋４０が下蓋２０に覆設されている場合に、上接続部５０が対応する下接続部３０に受け止められる上蓋４０と、
対応する下接続部３０の端部にヒンジ接続されたブロック状ストッパー６２であって、対応する上接続部５０に受け止められて上接続部５０を制限することにより、下蓋２０からの上蓋４０の離脱が避けられ、ブロック状ストッパー６２を回転させて上接続部５０への制限を解除することにより、上蓋４０を下蓋２０から離脱できるブロック状ストッパー６２とを含むアイスバケツをさらに提供する。
【００３７】
具体的には、対向する両端が本体１０の対向する両側に位置するハンドル６０をさらに含み、ハンドル６０の端部は対応する下接続部３０の端部にヒンジ接続され、ハンドル６０の本体１０を向く側面にはハンドルの端部６１の近くにブロック状ストッパー６２が突き出て形成され、ブロック状ストッパー６２とハンドルの端部６１との間には上接続部５０及び下接続部３０を受け入れるノッチが形成される。
ハンドル６０が立っている場合には、ブロック状ストッパー６２が対応する上接続部５０に受け止められて上接続部５０を制限することにより、下蓋２０からの上蓋４０の離脱が避けられる。ハンドル６０が下がって本体１０に受け止められている場合には、ブロック状ストッパー６２がハンドル６０に従って移動して上接続部５０への制限を解除することにより、上蓋４０を下蓋２０から離脱できる。
【００３８】
具体的には、本体１０はインナーライナーと、インナーライナーに嵌設されたハウジングとを含む。
【００３９】
本考案のアイスバケツ及びバケツ用蓋の有益な効果は以下のとおりである。
本考案では下蓋と本体の上端とが適合して接続され、上蓋が下蓋に覆設され、且つ上蓋のペアの上接続部と下蓋のペアの下接続部とが上下に適合して密着して、本体を覆う。
【００４０】
ハンドルと下蓋の下接続部とがヒンジ接続されることにより、ハンドルの回転を実現する。ハンドルの内側のブロック状ストッパーとハンドルの端部とによってノッチが形成され、ハンドルが縦設されている場合には、ハンドルのブロック状ストッパーが上接続部に受け止められることにより、上蓋の移動が規制され、下蓋からの上蓋の離脱が避けられる。ハンドルを回転させてブロック状ストッパーを連れて上接続部から離脱させることにより、上接続部への制限が解除され、ノッチが上接続部に対応し、上接続部がノッチを通して上向きに移動できるため、上蓋を上向きに移動させて取り出すことができる。蓋と本体はねじによって回転可能に接続され、操作しにくいという従来の技術における問題を解決できる。
【００４１】
上記で図面と実施例を結び付けて本考案の詳細な説明を行っているが、当業者は上記の説明を踏まえて本考案に様々な変形を行うことができる。そのため、実施例に記載の内容が本考案への限定にならない。本考案の保護範囲は登録請求の範囲に記載する内容に準拠する。
【図１】
0003234929.tif 000003
【図２】
0003234929.tif 000004
【図３】
0003234929.tif 000005
【図４】
0003234929.tif 000006
【図５】
0003234929.tif 000007
【図６】
0003234929.tif 000008
【図７】
0003234929.tif 000009
【図８】
0003234929.tif 000010
【図９】
0003234929.tif 000011
【図１０】
0003234929.tif 000012
【図１１】
0003234929.tif 000013